(57)【要約】【課題】稼働率およびスペース利用率が向上されてなるロボット掃除機などの自走式円盤状物体の収納構造を提供する。【解決手段】自走式円盤状物体を収納する本体収納部１０と、自走式円盤状物体を充電する充電部２０とを備え、本体収納部１０は住宅内に備えられる設備下部に前記自走式円盤状物体が進入自在かつ進出自在に形成され、充電部２０は本体収納部１０が形成された設備下部の角部に配設された充電部用部材３０としての支持板３１を含み、支持板３１は充電器２１を後退不自在に支持するようにされた自走式円盤状物体の収納構造Ｋである。【選択図】図１
2014222008.tif 000002
【特許請求の範囲】
【請求項１】
自走式円盤状物体を収納する本体収納部と、前記自走式円盤状物体を充電する充電部とを備え、
前記本体収納部は、住宅内に備えられる設備下部に前記自走式円盤状物体が進入自在かつ進出自在に形成され、
前記充電部は、前記本体収納部が形成された設備下部の角部に配設された充電部用部材としての支持板を含み、
前記支持板は、前記自走式円盤状物体の充電器を後退不自在に支持する
ことを特徴とする自走式円盤状物体の収納構造。
【請求項２】
充電部は、自走式円盤状物体の充電に支障のないようにして支持板から庇状に形成された充電部用部材としてのコネクタ載置板を含むことを特徴とする請求項１記載の自走式円盤状物体の収納構造。
【請求項３】
充電部は、電気的構成としてのコンセントと、前記コンセントから電力が供給される充電器とを備えてなることを特徴とする請求項１記載の自走式円盤状物体の収納構造。
【請求項４】
コンセントは、差し込み口を水平配列にして設備下部側面に配設されてなることを特徴とする請求項３記載の自走式円盤状物体の収納構造。
【請求項５】
支持板下端と床面との間に配線スペースが設けられてなることを特徴とする請求項１記載の自走式円盤状物体の収納構造。
【請求項６】
支持板の背後に配線スペースが形成されてなることを特徴とする請求項１記載の自走式円盤状物体の収納構造。
【請求項７】
支持板に充電器を保持する保持部が形成されてなることを特徴とする請求項１記載の自走式円盤状物体の収納構造。
【請求項８】
本体収納部が形成されている設備下部の前面が開放されてなることを特徴とする請求項１記載の自走式円盤状物体の収納構造。
【請求項９】
設備は、壁面埋め込み式棚または壁面埋め込み式テレビ台であることを特徴とする請求項１記載の自走式円盤状物体の収納構造。
【請求項１０】
設備は、対面式キッチンであることを特徴とする請求項１記載の自走式円盤状物体の収納構造。
【請求項１１】
支持板とコネクタ載置板とは、一体成型されてなるブロック体であることを特徴とする請求項２記載の自走式円盤状物体の収納構造。
【請求項１２】
請求項１ないし請求項１１のいずれか一項に記載の自走式円盤状物体の収納構造を備えてなることを特徴とする住宅。
【発明の詳細な説明】
【技術分野】
【０００１】
本発明は自走式円盤状物体の収納構造に関する。さらに詳しくは、稼働率およびスペース利用率が向上されてなる自走式円盤状物体の収納構造に関する。
【背景技術】
【０００２】
従来より、円盤状とされた自走式掃除機が知られている。かかる自走式掃除機は、その利便性から急速な普及をとげている。
【０００３】
しかるに、かかる自走式掃除機は、その利用態様から従来の掃除機のように扉を有する納戸に収納するのは適切ではない。そのため、自走式掃除機は、リビングの床などに露出した状態で置かれているのが一般的である。
【０００４】
しかしながら、自走式掃除機は直径が３０ｃｍ程度で、しかも厚みが１０ｃｍ程度とわりあい大きなものであるので、露出した状態で置かれているのは、見栄えがよくないとともに、居住者の居住性を害している。
【０００５】
なお、外部充電装置を有するロボット掃除機システムに関しては、特許文献１に提案がなされている。
【先行技術文献】
【特許文献】
【０００６】
【特許文献１】特開２００４−２３７０７５号公報
【発明の開示】
【発明が解決しようとする課題】
【０００７】
本発明はかかる従来技術の課題に鑑みなされたものであって、稼働率およびスペース利用率が向上されてなる自走式円盤状物体の収納構造を提供することを目的としている。
【課題を解決するための手段】
【０００８】
本発明の自走式円盤状物体の収納構造は、自走式円盤状物体を収納する本体収納部と、前記自走式円盤状物体を充電する充電部とを備え、前記本体収納部は、住宅内に備えられる設備下部に前記自走式円盤状物体が進入自在かつ進出自在に形成され、前記充電部は、前記本体収納部が形成された設備下部の角部に配設された充電部用部材としての支持板を含み、前記支持板は、前記自走式円盤状物体の充電器を後退不自在に支持することを特徴とする。
【０００９】
本発明の自走式円盤状物体の収納構造においては、充電部は自走式円盤状物体の充電に支障のないようにして支持板から庇状に形成された充電部用部材としてのコネクタ載置板を含むものとされてもよい。
【００１０】
また、本発明の自走式円盤状物体の収納構造においては、充電部は電気的構成としてのコンセントと、前記コンセントから電力が供給される充電器とを備えてなるものとされる。その場合、コンセントは、差し込み口を水平配列にして設備下部側面に配設されてなるのが好ましい。
【００１１】
また、本発明の自走式円盤状物体の収納構造においては、支持板下端と床面との間に配線スペースが設けられていたり、支持板の背後に配線スペースが形成されていたりするのが好ましい。
【００１２】
また、本発明の自走式円盤状物体の収納構造においては、支持板に充電器を保持する保持部が形成されてなるのが好ましい。
【００１３】
また、本発明の自走式円盤状物体の収納構造においては、本体収納部が形成されている設備下部の前面が開放されてなるのが好ましい。
【００１４】
また、本発明の自走式円盤状物体の収納構造においては、設備は、例えば壁面埋め込み式棚または壁面埋め込み式テレビ台とされたり、対面式キッチンとされたりする。
【００１５】
また、本発明の自走式円盤状物体の収納構造においては、支持板とコネクタ載置板とは、一体成型されてなるブロック体であるのが好ましい。
【００１６】
しかして、本発明の自走式円盤状物体の収納構造は住宅に備えられる。
【発明の効果】
【００１７】
本発明は前記の如く構成されているので、ロボット掃除機などの自走式円盤状物体の収納の際に、ロボット掃除機などの自走式円盤状物体の稼働率を低下させることはなく、しかもスペース利用率が向上されるという優れた効果を奏する。
【図面の簡単な説明】
【００１８】
【図１】本発明の一実施形態に係る収納構造の概略図であって、同(ａ)は平面図を示し、同(ｂ)は正面図を示す。
【図２】充電部の電気的構成を示すブロック図である。
【図３】充電部用部材の平面図である。
【図４】同正面図である。
【図５】同側面図である。
【図６】支持板の変形例を示す平面概略図である。
【発明を実施するための形態】
【００１９】
以下、添付図面を参照しながら本発明を実施形態に基づいて説明するが、本発明はかかる実施形態のみに限定されるものではない。
【００２０】
図１に、本発明の一実施形態に係る自走式円盤状物体の収納構造(以下、単に収納構造という)Ｋを概略図で示し、図２に電気的構成をブロック図で示す。なお、本実施形態では、自走式円盤状物体は、ロボット掃除機とされる。
【００２１】
収納構造Ｋは、図１および図２に示すように、ロボット掃除機を収納する本体収納部１０と、充電部用部材３０を有し本体収納部１０の後部角部に設けられてロボット掃除機を充電する充電部２０とを備えてなるものとされ、住宅の壁面埋め込み式棚や壁面埋め込み式テレビ台などの設備下部空間内に一体的に形成される。
【００２２】
本体収納部１０は、ロボット掃除機の進退の自由を確保するため、前面に所定高さＨおよび所定幅Ｗの開口を有するものとされ、例えば、収納構造Ｋが形成される住宅の組み付け棚や組み付けテレビ台などの下部空間内を形成している床面と、両側面と、背面と、底板下面とにより画成される。前面は、住宅の壁面埋め込み式棚や壁面埋め込み式テレビ台などの下部前面と同一面とされてもよい。
【００２３】
所定高さＨはロボット掃除機の進入および進出に支障のない高さとされ、例えばロボット掃除機の床面からの高さより十数センチ高くされている。つまり、埋め込み式の棚などの底板下面は、この高さとなるように調整されている。また、所定幅Ｗはロボット掃除機の進入および進出の自由度を最大とする幅とされ、例えば、壁面埋め込み式棚下部などの両側面により規定される内寸と同一とされる。
【００２４】
なお、所定幅Ｗは前記幅に限定されるものではなく、組み付け棚や部屋などのサイズに応じて適宜とでき、例えば内寸の半分程度の幅とすることもできる。その場合、下部空間を仕切り板により仕切ることにより、本体収納部１０の領域を明確にし、それにより残部の空間を他の用途に利用するようにされてもよい。
【００２５】
前記説明から明らかなように、本明細書においては、本体収納部１０はロボット掃除機の進入経路および進出経路を含めた概念とされる。
【００２６】
充電部２０は、図２に示すように、電気的構成としての充電器２１と、コンセント２２と、充電器２１とコンセント２２との間に必要に応じて設けられるコネクタ２３とを含むものとされる。
【００２７】
コンセント２２は、充電部用部材３０を構成する支持板３１の高さよりも高い位置で前面開口から操作可能な側面の壁面に設けられる。いわゆるニ個口のコンセントを用いる場合には、収納構造Ｋの全体の高さを低くする観点からコンセント２２は横向き(水平)に設けられるものとされる。
【００２８】
充電部用部材３０は、図３−５に示すように、充電器２１の背面を支持して充電時におけるロボット掃除機が当接した際の後退を防ぐ支持板３１と、支持板３１上端と一体化させて設けられたコネクタ載置板３２とを含むものとされる。コネクタ載置板３２は、側面および背面に密着させて設けられた受け板３３により支持される。
【００２９】
支持板３１は、上端にコネクタ載置板３２が一体化された場合にロボット掃除機の進退を阻害しないような高さとされ、かつ、ロボット掃除機の進退の利便性を考慮して角部に斜め、例えば４５度に傾斜させて配設される。また、支持板３１下端と床面Ｆとの間は隙間Ｃが設けられて、コードの配線などがなしえるようにされるとともに、支持板３１の背後は充電部の配線スペースＳとされる。
【００３０】
支持板３１のロボット掃除機との当接面はフラットとされてもよいが、充電器２１の横ずれを防止する観点から保持部３１ａが形成されているのが好ましい。図６に、保持部３１ａの例を示す。
【００３１】
図６(ａ)は、当接面に充電器２１を保持する保持用凹部４１を形成して保持部３１ａとしてなるものとされる。これにより、ロボット掃除機が充電のために帰還した際の接触による充電器２１の横ずれが防止される。
【００３２】
図６(ｂ)は、一対の保持用突片４２，４２を対向配置して設けるとともに、一方の保持用突片４２をスライド自在かつ固定可能として種々の幅の充電器に対応可能としてなるものとされる。なお、スライド自在とされた保持用突片４２のスライド機構は公知の構造を好適に用いることができその構成の特に限定はなく、また固定もねじ留めなどの公知の構造を好適に用いることができその構成に特に限定はない。
【００３３】
コネクタ載置板３２は、前述したように、支持板３１の上端から斜め前方の庇状に張り出して受け板３３を含めて一体的に形成される。つまり、支持板３１とコネクタ載置板３２と受け板３３とはブロック体として構成される。この場合、ブロック体は合成樹脂成形体とされてもよい。
【００３４】
コネクタ載置板３２を支持板３１の上端から斜め前方の庇状に張り出して形成するのは、コネクタ載置板３２が支持板背後の配線スペースを塞がないようにするためである。また、ブロック体として構成するのは、設置の利便性を考慮するためである。
【００３５】
コネクタ載置板３２へのコネクタ２３の載置は、単に載置されてもよいが、両面テープなどの適宜手段により固定して載置するのが、使用時の振動などによりコネクタ２３が、コネクタ載置板３２から落下するのが防止されるので好ましい。
【００３６】
このように、本実施形態では、ロボット掃除機を収納する収納構造Ｋを住宅の壁面埋め込み式棚や壁面埋め込み式テレビ台などの設備下部空間内に一体的形成しているので、ロボット掃除機を人目に触れることなく収納できるとともに、居住者の居住性を損なうこともない。また、本体収納部１０の前面は開口しているので、ロボット掃除機の動作の利便性を損なうこともない。
【００３７】
以上、本発明を実施形態に基づいて説明してきたが、本発明かかる実施形態のみに限定されるものではなく、種々改変が可能である。
【００３８】
例えば、本実施形態では、収納構造Ｋは住宅の壁面埋め込み式棚や壁面埋め込み式テレビ台などの下部空間内に一体的に形成されているが、収納構造Ｋの形成場所は前記に限定されるものではなく、コーナー台下部、例えば電気スタンドの受け台下部や対面式キッチンの対面側下部などに形成されてもよい。
【産業上の利用可能性】
【００３９】
本発明は家電産業および住宅産業に適用できる。
【符号の説明】
【００４０】
Ｋ      収納構造
Ｆ      床面
Ｃ      隙間
Ｓ      配線スペース
Ｈ      所定高さ
Ｗ      所定幅
１０      本体収納部
２０      充電部
２１      充電器
２２      コンセント
２３      コネクタ
３０      充電部用部材
３１      支持板
３１ａ    保持部
３２      コネクタ載置板
３３      受け板
４１      保持用凹部
４２      保持用突片
【図１】
2014222008.tif 000003
【図２】
2014222008.tif 000004
【図３】
2014222008.tif 000005
【図４】
2014222008.tif 000006
【図５】
2014222008.tif 000007
【図６】
2014222008.tif 000008